(57)【要約】【課題】蓋付地中埋込管において、地中の埋設物を照らしてバルブ開閉操作、点検などの操作性を向上させる。【解決手段】地中の仕切弁３の上方を覆う、蓋部１０を有する蓋付地中埋込管２０において、埋込管本体１１に、蓋部１０が嵌め込まれる蓋嵌込枠部１１ａを設ける。開放センサ２１と、照明部２２と、照明部２２に電力を供給する電池２３とを設ける。開放センサ２１が、蓋部１０が開放されたのを検知したときに、仕切弁３の上方を照明部２２で照らすようにする。【選択図】図１
2016217105.tif 000002
【特許請求の範囲】
【請求項１】
地中の埋設物の上方を覆う、蓋部を有する蓋付地中埋込管において、
上記蓋部が嵌め込まれる蓋嵌込枠部を有する埋込管本体と、
上記蓋部が開放されたのを検知する開放センサと、
上記開放センサが上記蓋部が開放されたのを検知したときに上記埋設物の上方を照らす照明部と、
上記照明部に電力を供給する電池とを備えている
ことを特徴とする蓋付地中埋込管。
【請求項２】
請求項１に記載の蓋付地中埋込管において、
上記照明部は、上記埋込管本体に取り付けられている
ことを特徴とする蓋付地中埋込管。
【請求項３】
請求項２に記載の蓋付地中埋込管において、
上記照明部は、上記埋込管本体に凹陥した収容凹部に嵌め込まれている
ことを特徴とする蓋付地中埋込管。
【請求項４】
請求項１から３のいずれか１つに記載の蓋付地中埋込管において、
上記埋込管本体に連結される少なくとも１つの連結管を備え、
上記照明部は、上記連結管に嵌め込まれている
ことを特徴とする蓋付地中埋込管。
【請求項５】
請求項１から４のいずれか１つに記載の蓋付地中埋込管において、
上記電池は、リチウム電池であり、上記照明部に内蔵されている
ことを特徴とする蓋付地中埋込管。
【請求項６】
請求項１から４のいずれか１つに記載の蓋付地中埋込管において、
上記電池は、二次電池であり、該二次電池は、上記蓋部又は上記蓋嵌込枠部に設けた太陽電池からの電力が充電されるように構成されている
ことを特徴とする蓋付地中埋込管。
【請求項７】
請求項６に記載の蓋付地中埋込管において、
上記照明部は、上記蓋嵌込枠部に設けられ、
上記二次電池は、上記蓋部に設けた太陽電池からの電力が充電されるように構成されており、
上記太陽電池と上記二次電池とを結ぶ電線は、上記蓋部を上記蓋嵌込枠部に揺動可能に支持するヒンジピンの内部を通過している
ことを特徴とする蓋付地中埋込管。
【請求項８】
請求項６に記載の蓋付地中埋込管において、
上記照明部及び上記太陽電池は、上記蓋嵌込枠部において隣接して設けられている
ことを特徴とする蓋付地中埋込管。
【請求項９】
請求項１に記載の蓋付地中埋込管において、
上記照明部及び上記開放センサは、磁石により着脱可能に構成されている
ことを特徴とする蓋付地中埋込管。
【請求項１０】
請求項１から９のいずれか１つに記載の蓋付地中埋込管において、
上記開放センサは、赤外線センサであり、上記照明部に内蔵されている
ことを特徴とする蓋付地中埋込管。
【発明の詳細な説明】
【技術分野】
【０００１】
本発明は、仕切弁、消火栓、メータ類などの地中埋設物の上方を覆う、蓋部を有する蓋付地中埋込管に関する。
【背景技術】
【０００２】
従来より、この種の蓋付地中埋込管として、例えば、特許文献１のように、弁筐を架台の上に重ね置いた状態で地中に埋設することによって、バルブハンドルの挿入用空間を水道管における仕切弁の上側に形成することが知られている。架台の長さは、水道管の設置状態によって異なり、一般的に５０ｃｍ〜１００ｃｍとなっている。通常は、蓋が閉じられ、バルブ開閉操作時、点検時等に蓋部を明けてバルブハンドルを挿入し、仕切弁の操作を行えるようになっている。
【先行技術文献】
【特許文献】
【０００３】
【特許文献１】実用新案登録第３０４８４６２号公報
【発明の概要】
【発明が解決しようとする課題】
【０００４】
しかしながら、従来の蓋付地中埋込管では、内径に比べて深さが深いために中が暗く、バルブハンドルの先端を差し込むための弁軸先端を見ることができないことが多い。
【０００５】
そこで、懐中電灯などで照らしながらバルブハンドルの操作をするという大変な作業となる。
【０００６】
また、場合によっては、土などで弁軸先端が埋まってしまって見えないときがある。そのような場合にはさらにバルブハンドルの操作がさらに大変となる。
【０００７】
このような問題は、消火栓、メータ類などのバルブ開閉操作時、点検時等でも発生している。
【０００８】
本発明は、かかる点に鑑みてなされたものであり、その目的とするところは、地中の埋設物を照らしてバルブ開閉操作、点検等などの操作性を向上させることにある。
【課題を解決するための手段】
【０００９】
上記の目的を達成するために、この発明では、蓋付地中埋込管に蓋部が開放されたときに埋設物を照らす照明部を設けた。
【００１０】
具体的には、第１の発明では、地中の埋設物の上方を覆う、蓋部を有する蓋付地中埋込管を前提とし、
上記蓋付地中埋込管は、
上記蓋部が嵌め込まれる蓋嵌込枠部を有する埋込管本体と、
上記蓋部が開放されたのを検知する開放センサと、
上記開放センサが上記蓋部が開放されたのを検知したときに上記埋設物の上方を照らす照明部と、
上記照明部に電力を供給する電池とを備えている。
【００１１】
上記の構成によると、埋設物の操作時、点検時等に蓋部を開けると、開放センサは、蓋部が開放されたことを検知し、照明部に信号を送る。すると、照明部が電池の電力を用いて埋設物の上方を照らすので、作業者は手に懐中電灯を持つことなく、バルブ開閉操作、点検作業等を行うことができる。このため、作業性が極めて向上する。
【００１２】
第２の発明では、第１の発明において、
上記照明部は、上記埋込管本体に取り付けられている。
【００１３】
上記の構成によると、蓋嵌込枠部を有する埋込管本体に収容凹部を設けているので、開放センサも照明部の近くに設けることができ、照明部及び開放センサの設置や点検が容易となる。
【００１４】
第３の発明では、第２の発明において、
上記照明部は、上記埋込管本体に凹陥した収容凹部に嵌め込まれている。
【００１５】
上記の構成によると、照明部が収容凹部に嵌め込まれるので、埋込管本体を地中に埋設する前に予め照明部を取り付けておくことができ、作業が容易となる。また、照明部を他の埋込管本体内面よりも出っ張らないようにすれば、照明部がバルブハンドル操作時などに損傷しにくくなる。
【００１６】
第４の発明では、第１から第３のいずれか１つの発明において、
上記埋込管本体に連結される少なくとも１つの連結管を備え、
上記照明部は、上記連結管に嵌め込まれている。
【００１７】
上記の構成によると、照明部を設けるための専用の連結管を製造することにより、他の連結管は従来と同様の連結管を使用しながら、照明部を設ける位置にユニット構成した専用の連結管を設けることもでき、照明部の設置が容易となる。なお、深さが深いときなどには、埋込管本体と連結管と両方に照明部を設けてもよい。
【００１８】
第５の発明では、第１から第４のいずれか１つの発明において、
上記電池は、リチウム電池であり、上記照明部に内蔵されている。
【００１９】
上記の構成によると、例えば、円柱状のリチウム電池は、電圧が３Ｖと高く、自己放電が少ないので、点検作業が長期スパンとなる埋設物を照らす照明部の電力として適している。
【００２０】
第６の発明では、第１から第４のいずれか１つの発明において、
上記電池は、二次電池であり、この二次電池は、上記蓋部又は上記蓋嵌込枠部に設けた太陽電池からの電力が充電されるように構成されている。
【００２１】
上記の構成によると、太陽の光を受けた太陽電池から適宜充電が行われるので、二次電池に必要な電力が蓄えられ、バルブ開閉操作時、点検時に確実に埋設物を確実に照らすことができる。
【００２２】
第７の発明では、第６の発明において、
上記照明部は、上記蓋嵌込枠部に設けられ、
上記二次電池は、上記蓋部に設けた太陽電池からの電力が充電されるように構成されており、
上記太陽電池と上記二次電池とを結ぶ電線は、上記蓋部を上記蓋嵌込枠部に揺動可能に支持するヒンジピンの内部を通過している。
【００２３】
上記の構成によると、太陽電池が蓋部に設けられると共に、太陽電池が蓋部に設けられるので、蓋部と蓋嵌込枠部以外の構成部品は従来のものを流用できるメリットがある。また、太陽電池と二次電池とを電線で結ぶ場合には、取り回しが問題となるが、ヒンジピン内に電線を通すことで、蓋部を開閉しても電線が痛みにくい。
【００２４】
第８の発明では、第６の発明において、
上記照明部及び上記太陽電池は、上記蓋嵌込枠部において隣接して設けられている。
【００２５】
上記の構成によると、照明部と太陽電池を蓋嵌込枠部において隣接して設けることにより、蓋嵌込枠部以外の構成部品は従来のものを流用できるメリットがある。また、太陽電池と二次電池とを電線で結ぶ場合には、取り回しが問題となるが、両者が隣接して設けられているので、電線の取り回しが極めて容易である。
【００２６】
第９の発明では、第１の発明において、
上記電池は、二次電池であり、この二次電池は、上記蓋部又は上記蓋嵌込枠部に設けた太陽電池からの電力が充電されるように構成されている。
【００２７】
上記の構成によると、太陽の光を受けた太陽電池から適宜充電が行われるので、二次電池に必要な電力が蓄えられ、バルブ開閉操作時、点検時に確実に埋設物を確実に照らすことができる。
【００２８】
第１０の発明では、第１から第９のいずれか１つの発明において、
上記開放センサは、赤外線センサであり、上記照明部に内蔵されている。
【００２９】
上記の構成によると、赤外線センサよりなる開放センサが照明部に内蔵されていれば、設置が極めて容易であり、既存の蓋付き地中埋込管に取り付けることができる。また、赤外線センサであれば、蓋部を開けたときに赤外線センサが検知し、照明部を点灯させることができる。
【発明の効果】
【００３０】
以上説明したように、本発明によれば、蓋部が開放されたのを開放センサが検知したときに、照明部で埋設物の上方を照らすようにしたことにより、バルブ操作、点検などの操作性を極めて向上させることができる。
【図面の簡単な説明】
【００３１】
【図１】本発明の実施形態１に係る蓋付地中埋込管を示す断面図である。
【図２】本発明の実施形態２に係る蓋付地中埋込管を示す断面図である。
【図３】本発明の実施形態３に係る蓋付地中埋込管を示す断面図である。
【図４】本発明の実施形態４に係る蓋付地中埋込管を示す平面図である。
【図５】図４のＶ−Ｖ線断面図である。
【発明を実施するための形態】
【００３２】
以下、本発明の実施形態を図面に基づいて説明する。
【００３３】
（実施形態１）
図１は本発明の実施形態１の蓋付地中埋込管２０を示し、この蓋付地中埋込管２０は、地中の埋設物としての仕切弁３の上方を覆う、点検用の蓋部１０を有する。仕切弁３は、水道管１に連結された弁箱２の内部に内蔵され、水道管１に流れる水道水の流れを止めたり、流れるようにしたり切換操作できるようになっている。埋設物としては、空気弁、ガス管の仕切弁などでもよい。
【００３４】
蓋付地中埋込管２０は、鉄筋コンクリート、レジンコンクリート、繊維強化プラスチック、ダクタイル鋳鉄などよりなる埋込管本体１１を備え、この埋込管本体１１は、蓋部１０が嵌め込まれる蓋嵌込枠部１１ａを有し、この蓋嵌込枠部１１ａの少なくとも一部が地面Ｇから露出している。蓋部１０の形状は、円板、楕円板、正方形板、長方形板など特に限定されず、その形状に合わせて蓋嵌込枠部１１ａの形状も決定される。
【００３５】
埋込管本体１１には、例えば、埋込管本体１１と内径がほぼ等しい、２つの連結管１２を備えている。この連結管１２の本数や、その長さ、内径等は特に限定されず、材質も埋込管本体１１と同様とする。なお、後述する変形例１のように照明部２２を専用連結管１２’に設けないときには、図１における専用連結管１２’は、通常の連結管１２となる。そして、その連結管１２の下端に円筒状の仕切弁カバー１３が設けられている。
【００３６】
埋込管本体１１の蓋嵌込枠部１１ａ又は埋込管本体１１の内面には、蓋部１０が開放されたのを検知する開放センサ２１が設けられている。開放センサ２１の検知方式は特に限定されず、蓋部１０が開かれたときに反応する接触式センサ、非接触式センサ、光センサ等でもよい。
【００３７】
そして、開放センサ２１が、蓋部１０が開放されたのを検知したときに、照明部２２が仕切弁３の上方を照らすように構成されている。照明部２２は、電力を供給する電池２３を備えている。この電池２３は、例えばリチウム電池であり、照明部２２に内蔵されている。例えば、円柱状のリチウム電池であれば、電圧が３Ｖと高く、自己放電が少ないので、点検作業が長期スパンとなる仕切弁３を照らすのに適している。電池２３は、他の乾電池でもよい。寿命の長い電池２３を内蔵することで、交換の手間を省くことができ、設置時の配線も不要となる。
【００３８】
照明部２２の構成は、特に限定されないが、この照明部２２は、例えば、光源としてＬＥＤを有し、埋込管本体１１に凹陥した収容凹部１１ｂに嵌め込まれており、防水構造であると有利である。埋込管本体１１が、コンクリートレジン、強化繊維プラスチックなどの成型品からなる場合には、予め収容凹部１１ｂを一体成形しておけば、照明部２２を組み付けるのが容易となる。照明部２２は、下方を照らしやすいように、予め照射方向が設定されている。照射方向を自由に設定できるようにしてもよい。照明部２２は、埋込管本体１１の内面から出っ張らない方がよいが、下方を照らしやすくするために、ある程度出っ張っていてもよい。開放センサ２１と照明部２２との信号のやり取りは、無線方式が取付が容易で便利であるが、電線による有線方式でもよい。
【００３９】
次に、本実施形態に係る蓋付地中埋込管２０の作動について説明する。
【００４０】
水道管１の仕切弁３は、点検、工事のときなどに開閉操作が必要となる。その開閉操作は、頻繁ではなく、そのスパンは比較的長い。
【００４１】
仕切弁３の点検、バルブ開閉操作時等に蓋部１０を開けると、開放センサ２１が蓋部１０が開放されたことを検知し、照明部２２に信号を送る。
【００４２】
照明部２２は、電池２３を内蔵しているので、電池２３の電力により、照明部２２が仕切弁３の上方を照らす。
【００４３】
このため、作業者は手に懐中電灯を持つことなく、容易にバルブハンドルを埋込管本体１１から差し込んで弁軸４の先端に挿入することができる。そして、バルブハンドルを操作して仕切弁３の開閉作業を行うことができる。最後に蓋部１０を閉じれば開放センサ２１が反応し、照明部２２の照射が停止され、電池２３からの電力供給も停止される。このように、本実施形態では、バルブ開閉操作、点検等の作業性が極めて向上している。
【００４４】
本実施形態では、蓋嵌込枠部１１ａを有する埋込管本体１１に収容凹部１１ｂを設けているので、蓋部１０の開放を検知する開放センサ２１も同じ埋込管本体１１に設けることができ、照明部２２及び開放センサ２１の設置や点検が容易となる。
【００４５】
本実施形態では、照明部２２が収容凹部１１ｂに嵌め込まれるので、埋込管本体１１を地中に埋設する前に予め照明部２２を取り付けておくことができ、作業が容易となる。また、照明部２２を他の埋込管本体１１内面よりも出っ張らないようにすることで、照明部２２がバルブハンドルなどで損傷しにくい。
【００４６】
したがって、本実施形態に係る蓋付地中埋込管２０によると、地中の仕切弁３を明るく照らすことができるので、バルブハンドルを挿入して弁軸４の先端に差し込んで、バルブの開閉操作や点検作業を容易に行うことができる。
【００４７】
−変形例１−
上記実施形態１では、照明部２２を埋込管本体１１の収容凹部１１ｂに設けたが、照明部２２を専用連結管１２’に設けてもよい。
【００４８】
その場合、上記実施形態と同様に専用連結管１２’に収容凹部１２ｂを設け、この収容凹部１２ｂに照明部２２を設けるとよい。
【００４９】
本変形例では、照明部２２が蓋部１０から離れた位置に設けられるので、蓋部１０の近くに開放センサ２１が設けられるのを考慮すれば、開放センサ２１と照明部２２との信号のやり取りは無線を用いれば配線がなくなって有利である。
【００５０】
本変形例では、照明部２２を設けるための収容凹部１２ｂを有する専用連結管１２を製造することにより、他の連結管１２は、従来と同様の連結管１２を使用することができ、照明部２２の設置も容易である。
【００５１】
図１に示すように、照明部２２を埋込管本体１１と専用連結管１２’との両方に設けてもよい。そうすれば、仕切弁３が蓋部１０から深い位置に設けられているときに有利である。専用連結管１２’にのみ設ければ、埋込管本体１１は、汎用品を用いることができる。
【００５２】
−変形例２−
上記実施形態１では、電池２３をリチウム電池としたが、電池２３を二次電池である例えば電気２重層コンデンサ、リチウムイオン電池等としてもよい。
【００５３】
その場合、この二次電池は、蓋部１０又は蓋嵌込枠部１１ａに設けた太陽電池（図示せず）からの電力が充電されるように構成するとよい。
【００５４】
蓋部１０が着脱式ではなく、開閉式であれば、太陽電池から電池２３までの配線を設けても問題は少ないが、蓋部１０が着脱式であると、配線が難しいので、太陽電池を蓋嵌込枠部１１ａに設けるとよい。
【００５５】
太陽電池は、強度の強いアクリル板などのカバーで覆い、その内部に太陽電池を設けて蓋部１０又は蓋嵌込枠部１１ａに埋め込むことで、太陽光を得ることができる。
【００５６】
本変形例では、太陽電池から適宜充電が行われるので、二次電池である電池２３に必要な電力が蓄えられ、バルブ操作時、点検時等に確実に仕切弁３を照らすことができる。
【００５７】
（実施形態２）
図２は本発明の実施形態２の蓋付地中埋込管１２０を示し、主として埋設物が消火栓１０３である点で上記実施形態１と異なる。なお、以下の各実施形態では、図１と同じ部分については同じ符号を付してその詳細な説明は省略する。
【００５８】
本実施形態のような消火栓１０３を収容する蓋付地中埋込管１２０は、上記実施形態１と比べると比較的浅い位置にある。また、埋込管本体１１１自体も浅いので、その埋込管本体１１１を支持する連結管１１２に照明部１２２が設けられている。
【００５９】
連結管１１２がダクタイル鋳鉄などの鉄製の場合、磁石１２４によって照明部１２２を着脱自在に取り付けることができる。本実施形態では、開放センサ１２１は、いわゆる人感センサであり、赤外線により、人等を検知する赤外線センサよりなる。開放センサ１２１が人等を検知したときに照明部１２２を点灯させ、所定時間点灯後に自動で消灯するように構成されている。この開放センサ１２１は、照明部１２２に内蔵されている。このため、取付が極めて容易であり、耐久性も高い。照明部１２２は、防水構造であるのが望ましい。
【００６０】
この場合、連結管１１２に収容凹部１１ｂ，１２ｂを特別に成形する必要がなく、取付が容易である。また、すでに埋め込まれている蓋付地中埋込管１２０に取り付けることができて便利である。
【００６１】
この消火栓１０３のように比較的浅い位置にある埋設物であっても、災害時や夜間作業時などに内部が照らされると極めて作業性が向上する。
【００６２】
なお、上記実施形態１と同様に収容凹部１２ｂを有する専用連結管１２’に照明部２２を嵌め込んでもよい。また、開放センサを磁石を利用した着脱式としてもよい。この場合、開放センサと照明部とは、電線で繋いでもよいが、無線式とすると断線の心配がなくてよく、すでに埋め込まれている蓋付地中埋込管１２０にも設置がしやすい。
【００６３】
（実施形態３）
図３は本発明の実施形態３の蓋付地中埋込管２２０を示し、主として埋設物が量水器２０３である点で上記実施形態１及び２と異なる。
【００６４】
本実施形態のような量水器２０３などのメータ類、電線類の場合、蓋付地中埋込管２２０は、上記実施形態１及び２に比べて浅く、ボックス形状であり、通常は、連結管１２、専用連結管１２’及び仕切弁カバー１３が設けられないので、埋込管本体１１に該当するボックス２１１に照明部１２２が設けられている。ボックス２１１が鋳鉄製であれば、上記実施形態２と同様の照明部１２２を着脱自在に設けることができる。
【００６５】
照明部として、上記実施形態１のような開放センサ２１が別に設けられたものを設けてもよい。ボックス２１１が樹脂成形品であれば、上記実施形態１のように収容凹部１１ｂを成形して嵌め込むようにしてもよい。
【００６６】
このようなボックス２１１に収容されるものとして、量水器以外のメータ類、水道・ガス・電気などのメータ類、電気や電話などの配線類などが考えられる。このボックス２１１のような浅いものであっても、懐中電灯等を用いることなくメータ類の確認をしたり、配線のメンテナンスができたりして便利である。
【００６７】
（実施形態４）
図４及び図５は、本発明の実施形態４に係る蓋付地中埋込管３１１の蓋部３１０及び蓋嵌込枠部３１１ａを示し、主に太陽電池３１４の電力を利用した点で上記実施形態１〜３と異なる。
【００６８】
本実施形態では、蓋部３１０及び蓋嵌込枠部３１１ａは、例えば鋳造品であり、照明部３２２は、蓋嵌込枠部３１１ａに設けた収容凹部３１１ｂに収容されている。鋳造品であれば、照明部３２２を収容するための収容凹部３１１ｂなどを設けやすくて有利である。
【００６９】
一方、蓋部３１０には、太陽電池３１４が収容され、強化されたアクリル板などの透明カバー３１５で覆われている。蓋部３１０も鋳造品なので、太陽電池３１４や透光カバー３１５を嵌め込む部分を設けやすい。
【００７０】
照明部３２２は、内部に二次電池３２３を内蔵し、蓋部３１０に設けた太陽電池３１４からの電力が電線３１６を介して充電されるように構成されている。この電線３１６は、例えば、蓋部３１０を蓋嵌込枠部３１１ａに揺動可能に支持するヒンジピン３１１ｃの内部を通過している。電線３１６を用いずに無線にて太陽電池３１４から二次電池３２３へ電力を供給できるようにしてもよい。
【００７１】
本実施形態では、照明部３２２が蓋嵌込枠部３１１ａに設けられると共に、太陽電池３１４が蓋部３１０に設けられるので、蓋部３１０と蓋嵌込枠部３１１ａ以外の構成部品は従来のものを流用できるメリットがある。また、太陽電池３１４と二次電池３２３とを電線３１６で結ぶ場合には、取り回しが問題となるが、蓋部３１０の開閉時に動かないようにすることができるヒンジピン３１１ｃ軸内に電線３１６を通すことで、蓋部３１０を開閉しても電線３１６が痛まない。
【００７２】
本実施形態でも、蓋部３１０を開けると、開放センサ２１が検知し、二次電池３２３の電力を利用して照明部３２２をオンとし、蓋付き地中埋込管３１１内部が照らされるので、作業が極めて容易となる。
【００７３】
なお、二次電池３２３ではなく、リチウム電池等の一次電池を用いれば、太陽電池３１４は不要である。特に蓋部３１０が取り外し式の場合に適用が容易である。
【００７４】
−実施形態４の変形例−
詳しくは図示しないが、照明部３２２及び太陽電池３１４を蓋嵌込枠部３１１ａ内において隣接して設けてもよい。例えば、蓋嵌込枠部３１１ａの少なくとも一部を上記実施形態４よりも半径方向に大きく膨出させて照明部３２２及び太陽電池３１４の設置場所を確保すればよい。
【００７５】
このように、照明部３２２と太陽電池３１４を蓋嵌込枠部３１１ａに隣接して設けることにより、蓋嵌込枠部３１１ａ以外の構成部品は従来のものを流用できるメリットがある。
【００７６】
また、太陽電池３１４と二次電池３２３とを電線３１６で結ぶ場合には、取り回しが問題となるが、両者が隣接して設けられているので、電線３１６の取り回しが極めて容易である。しかも、取り外し式の蓋部３１０であっても適用が容易である。なお、太陽電池３１４と二次電池３２３とをユニット構成してもよい。
【００７７】
（その他の実施形態）
本発明は、上記実施形態について、以下のような構成としてもよい。
【００７８】
すなわち、上記各実施形態では、埋設物は、水道管１の仕切弁３、消火栓１０３、量水器２０３としたが、これに限定されず、他のバルブ、メータ類、電線等でもよい。
【００７９】
なお、以上の実施形態は、本質的に好ましい例示であって、本発明、その適用物や用途の範囲を制限することを意図するものではない。
【符号の説明】
【００８０】
１      水道管
２      弁箱
３      仕切弁（埋設物）
４      弁軸
１０      蓋部
１１      埋込管本体
１１ａ    蓋嵌込枠部
１１ｂ    収容凹部
１２      連結管
１２’    専用連結管
１２ｂ    収容凹部
１３      仕切弁カバー
２０      蓋付地中埋込管
２１      開放センサ
２２      照明部
２３      電池（リチウム電池、二次電池）
１０３      消火栓（埋設物）
１１１      埋込管本体 
１１２      連結管 
１２０      蓋付地中埋込管 
１２１      開放センサ 
１２２      照明部 
１２４      磁石 
２０３      量水器（埋設物）
２２０      蓋付地中埋込管 
２１１      ボックス（埋込管本体）
３１０      蓋部 
３１１      蓋付地中埋込管 
３１１ａ    蓋嵌込枠部 
３１１ｂ    収容凹部 
３１１ｃ    ヒンジピン 
３１４      太陽電池 
３１５      透光カバー 
３１６      電線 
３２２      照明部 
３２３      二次電池 
Ｇ      地面
【図１】
2016217105.tif 000003
【図２】
2016217105.tif 000004
【図３】
2016217105.tif 000005
【図４】
2016217105.tif 000006
【図５】
2016217105.tif 000007